(57)【要約】【課題】  連続する動作期間（水平期間）にわたり、制御信号の信号極性が同一となる状態の発生を防止して、フリッカの発生による表示画質の劣化や液晶の焼き付きによる製品寿命の劣化を抑制することができる表示駆動装置及びその駆動制御方法を提供する。【解決手段】  液晶表示装置１００に適用されるＬＣＤコントローラ１４０は、複合同期信号ＣＳＹＮＣに基づいて、垂直制御信号を生成してゲートドライバ１２０に供給するとともに、水平制御信号を生成してソースドライバ１３０に供給することにより、ゲートドライバ１２０及びソースドライバ１３０の動作状態を制御する。また、上記複合同期信号ＣＳＹＮＣに含まれる垂直同期信号ＶＤに基づいて、１水平期間ごとに信号極性が反転する極性反転信号ＦＲＰを生成して、コモン電圧駆動アンプ１６０及び表示信号生成回路１５０に供給する。【選択図】  図１
2005070706.tif 000002
【特許請求の範囲】
【請求項１】
複数の走査ラインと複数のデータラインが相互に直交するように配設され、前記複数の走査ラインと前記複数のデータラインの各交点近傍に、複数の表示画素が配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置において、
前記駆動制御手段は、前記表示パネル一画面分の前記画像情報を表示する１フレーム期間を規定する垂直同期信号を生成する手段と、該垂直同期信号にのみ基づいて、前記表示画素に印加される電圧極性を制御する第１の極性反転信号を生成する手段と、を有することを特徴とする表示駆動装置。
【請求項２】
前記駆動制御手段は、前記１フレーム期間に１回のみ、前記第１の極性反転信号の信号極性を反転制御する手段を有することを特徴とする請求項１記載の表示駆動装置。
【請求項３】
前記表示データは前記１フレーム期間を構成する第１のフィールド期間及び第２のフィールド期間を有し、
前記駆動制御手段は、前記第１のフィールド及び第２のフィールドの各々に対して、前記走査ラインごと、かつ、前記第１及び第２のフィールドごとに、前記表示画素に印加される電圧極性が反転するように、前記第１の極性反転信号を制御する手段を有することを特徴とする請求項２記載の表示駆動装置。
【請求項４】
前記表示駆動装置は、所定の映像信号に含まれるタイミング信号を抽出して前記駆動制御手段に供給するとともに、前記映像信号に含まれる輝度信号成分を抽出して前記信号駆動手段に前記表示データとして供給する信号生成手段を備え、
前記駆動制御手段は、前記信号生成手段から定常的に供給されるタイミング信号に基づいて、前記垂直同期信号を生成する手段を有することを特徴とする請求項２記載の表示駆動装置。
【請求項５】
前記駆動制御手段は、前記第１又は第２のフィールドを判別してフィールド判別情報を生成する手段と、前記各走査ラインを選択する水平走査期間ごとに反転するラインカウント信号を生成する手段と、前記ラインカウント信号に同期する第２の極性反転信号を生成する手段と、前記フィールド判別情報に基づいて、前記ラインカウント信号と前記第２の極性反転信号の極性反転又は極性非反転の関係を制御する手段と、前記第１又は前記第２の極性反転信号のいずれかを一方を選択的に出力する手段と、を有することを特徴とする請求項３記載の表示駆動装置。
【請求項６】
複数の走査ラインと複数のデータラインが相互に直交するように配設され、前記複数の走査ラインと前記複数のデータラインの各交点近傍に、複数の表示画素が配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置の駆動制御方法において、
前記表示パネル一画面分の前記画像情報を表示する１フレーム期間を規定する垂直同期信号を生成するステップと、
前記垂直同期信号に基づいて、前記１フレーム期間に１回のみ、前記表示画素に印加される電圧極性を制御する第１の極性反転信号を反転制御するステップと、
を含むことを特徴とする表示駆動装置の駆動制御方法。
【請求項７】
前記表示データは前記１フレーム期間を構成する第１のフィールド期間及び第２のフィールド期間を有し、
前記走査ラインごと、かつ、前記第１及び第２のフィールドごとに、前記表示画素に印加される電圧極性が反転するように、前記第１の極性反転信号を制御するステップを含むことを特徴とする請求項６記載の表示駆動装置の駆動制御方法。
【請求項８】
前記第１又は第２のフィールドを判別してフィールド判別情報を生成するステップと、
前記各走査ラインを選択する水平走査期間ごとに反転するラインカウント信号を生成し、該ラインカウント信号に同期する第２の極性反転信号を生成するステップと、
前記フィールド判別情報に基づいて、前記ラインカウント信号と前記第２の極性反転信号の極性反転又は極性非反転の関係を制御するステップと、
前記第１又は前記第２の極性反転信号のいずれかを一方を選択的に出力するステップと、
を含むことを特徴とする請求項７記載の表示駆動装置の駆動制御方法。
【発明の詳細な説明】
【技術分野】
【０００１】
本発明は、表示駆動装置及びその駆動制御方法に関し、特に、映像信号に含まれる同期信号に基づいて、インターレース駆動方式により液晶表示パネルに所望の画像情報を表示するためのタイミング制御信号を生成する手段を備えた表示駆動装置及びその駆動制御方法に関する。
【背景技術】
【０００２】
近年、普及が著しいデジタルビデオカメラやデジタルスチルカメラ等の撮像機器や、携帯電話や携帯情報端末（ＰＤＡ）等の携帯機器において、画像や文字情報等を表示するための表示装置（ディスプレイ）として、また、コンピュータ等の情報端末やテレビジョン等の映像機器のモニタやディスプレイとしても、薄型軽量で、低消費電力化が可能であり、表示画質にも優れた液晶表示装置（Liquid Crystal Display；ＬＣＤ）が多用されている。
【０００３】
以下、従来技術における液晶表示装置及びその駆動制御方法（表示駆動動作）について、簡単に説明する。
図５は、従来技術における薄膜トランジスタ（ＴＦＴ）型の表示パネルを備えた液晶表示装置の要部構成を示すブロック図であり、図６及び図７は、従来技術における液晶表示装置の、インターレース駆動方式による表示動作の一例を示すタイミングチャートである。また、図８は、従来技術における液晶表示装置に適用されるＬＣＤコントローラの制御信号生成動作の概念を示す機能ブロックである。ここでは、液晶表示装置の一例として、アクティブマトリックス型の液晶表示パネルを用いた液晶表示装置を示す。
【０００４】
図５に示すように、従来技術における液晶表示装置１００Ｐの要部構成は、概略、相互に直交するように行方向及び列方向に配設された走査ラインＳＬ及びデータラインＤＬの各交点近傍に、複数の表示画素Ｐｘを備えた液晶表示パネル１１０Ｐと、後述するＬＣＤコントローラ１４０Ｐから供給される垂直制御信号に基づいて、順次走査信号Ｇ１、Ｇ２、Ｇ３、・・・を生成して、液晶表示パネル１１０Ｐに配設された各走査ラインＳＬに印加して、該走査ラインＳＬに接続された表示画素Ｐｘを選択状態に設定するゲートドライバ（走査ドライバ）１２０Ｐと、後述するＬＣＤコントローラ１４０Ｐから供給される水平制御信号に基づいて、上記選択状態に設定された表示画素Ｐｘに対して所定の表示データに対応する表示信号電圧Ｓ１、Ｓ２、Ｓ３、・・・を各データラインＤＬに一斉に供給するソースドライバ（信号ドライバ）１３０Ｐと、少なくとも、これらのゲートドライバ１２０Ｐ及びソースドライバ１３０Ｐにおける動作タイミングを制御するための各種制御信号を生成して供給するＬＣＤコントローラ１４０Ｐと、を備えている。
【０００５】
このような構成を有する液晶表示装置において、ゲートドライバ１２０Ｐにより各走査ラインＳＬに走査信号Ｇ１、Ｇ２、Ｇ３、・・・を順次印加して、各行の表示画素Ｐｘを選択状態とし、該表示画素Ｐｘに対して、ソースドライバ１３０Ｐにより表示データ（輝度信号）に基づく表示信号Ｓ１、Ｓ２、Ｓ３、・・・を、各信号ラインＤＬを介して一斉に供給する動作を、１画面分の各行について順次繰り返すことにより、各表示画素Ｐｘに充填された液晶分子の配列状態を制御して、液晶表示パネル１１０に所定の画像情報を表示する表示駆動動作が行われる。
【０００６】
一方、テレビジョン放送においては、周知のように、周波数帯域を減らすために、インターレース駆動方式が用いられている。このインターレース駆動方式において、ＮＴＳＣ方式では、１フレーム期間（表示画面の１画面：走査線５２５本）を、有効走査線２４５本ごとの、奇数番目の走査線に対応した画像データと、偶数番目の走査線に対応した画像データからなる２つのフィールド期間（第１フィールド期間と第２フィールド期間）に２分割し、それぞれのフィールド期間ごとに走査線を１本おきに順次走査（選択）して１フレーム（１画面）を形成する。
【０００７】
上記のようなインターレース方式による画像表示を、上述した液晶表示装置１００Ｐに適用する場合の動作は、具体的には、例えば、液晶表示装置１１０Ｐの走査ラインＳＬが１フィールドの走査線数と同等の２４０本程度を有する場合、各フィールドにおいて各走査ラインＳＬが順次走査されるように構成され、１画面分の画像情報を表示する期間（１フレーム期間）に２つのフィールド期間を設定し、各フィールド期間において、特定の極性関係となる信号波形を有する制御信号により、以下に示すような駆動制御を実行する。ここで、図示の都合上、図６には、第１フィールド期間（ＦＩＥＬＤ１）におけるタイミングチャートを示し、図７には、第２フィールド期間（ＦＩＥＬＤ２）におけるタイミングチャートを示す。
【０００８】
まず、液晶表示装置１００Ｐの外部から供給される映像信号ＶＩＤＥＯから各種タイミング信号（後述する複合同期信号ＣＳＹＮＣ）が抽出されてＬＣＤコントローラ１４０Ｐに供給されるとともに、上記映像信号ＶＩＤＥＯに基づいて、液晶表示パネル１１０Ｐの１行分の表示画素Ｐｘに対応した表示データ（輝度信号）が、ソースドライバ１３０Ｐに供給される。これにより、ソースドライバ１３０Ｐは、ＬＣＤコントローラ１４０Ｐから供給される水平制御信号に基づいて、上記表示データを順次取り込み保持する。
【０００９】
ここで、ＬＣＤコントローラ１４０Ｐは、少なくとも、図８に示すように、映像信号ＶＩＤＥＯから抽出された複合同期信号ＣＳＹＮＣから、垂直同期成分を分離する機能（垂直同期分離ブロック１０Ｐ）と、該垂直同期成分とＬＣＤコントローラ１４０Ｐ内部において垂直同期成分に基づいて生成される内部垂直同期信号との同期状態を判定し、垂直同期信号ＶＤを生成して出力するとともに、フィールドの判別を行ってフィールド判別情報ＦＬＤを生成して出力する機能（垂直同期判定・フィールド判別・垂直同期信号生成ブロック２０Ｐ）と、該フィールド判別情報ＦＬＤ及び垂直同期信号ＶＤに基づいて、少なくともゲートドライバ１２０Ｐに供給する垂直制御信号（ゲートスタート信号ＧＳＲＴ等）及びラインカウント信号ＨＣＮＴを生成して出力する機能（垂直系表示制御ブロック３０Ｐ）と、ラインカウント信号ＨＣＮＴ及びフィールド判別情報ＦＬＤに基づいて、表示画素Ｐｘに充填された液晶分子に印加する信号極性を制御する極性反転信号ＦＲＰを生成して出力する機能（ＦＲＰ生成ブロック４０Ｐ）と、を有している。
なお、図示を省略したが、上記ＬＣＤコントローラ１４０Ｐは、上述した垂直制御信号（ゲートスタート信号ＧＳＲＴ）や極性反転信号ＦＲＰを生成する機能の他、ソースドライバ１３０Ｐにおける動作タイミングを制御するための水平制御信号や、図２、図３に示すような他の垂直制御信号（ゲートクロック信号ＧＰＣＫやゲートリセット信号ＧＲＥＳ等）を生成する機能も有している。
【００１０】
そして、図６に示すように、第１フィールド期間ＦＩＥＬＤ１（フィールド判別情報ＦＬＤがハイレベルとなる画像表示期間）において、ゲートドライバ１２０Ｐにより、上記ＬＣＤコントローラ１４０Ｐから供給される垂直制御信号（ゲートスタート信号ＧＳＲＴ、ゲートクロック信号ＧＰＣＫ、ゲートリセット信号（ゲートデスエイブル信号）ＧＲＥＳ等）に基づいて、１水平期間（１Ｈ）ごとに、液晶表示パネル１１０Ｐに配設された各走査ラインＳＬに走査信号Ｇ１、Ｇ２、Ｇ３・・・、Ｇn-1、Ｇｎが順次印加され、各行の表示画素Ｐｘ群が選択的に選択状態に設定される。
【００１１】
このとき、ソースドライバ１３０Ｐにより、ＬＣＤコントローラ１４０Ｐから供給される水平制御信号に基づいて、各行の表示画素Ｐｘ群の選択タイミングに同期して、上記保持した表示データに基づく表示信号電圧Ｓ１、Ｓ２、Ｓ３、・・・を、各データラインＤＬを介して各表示画素Ｐｘに一斉に供給する。このような一連の動作を、第１フィールド期間ＦＩＥＬＤ１に、各走査ラインＳＬについて繰り返し実行して、液晶表示パネル１１０Ｐに第１フィールドの画像を表示する。
次いで、図７に示すように、第２フィールドＦＩＥＬＤ２（フィールド判別情報ＦＬＤがローレベルとなる画像表示期間）についても実行することにより、液晶表示パネル１１０Ｐに第２フィールドの画像を表示し、かくして、表示データ（映像信号ＶＩＤＥＯ）に基づく１画面分（１フレーム）の画像表示を行う。
【００１２】
ここで、図６及び図７に示すように、極性反転信号ＦＲＰに基づいてソースドライバ１３０Ｐから各表示画素Ｐｘ（詳しくは、表示画素Ｐｘの画素電極）に印加される表示信号電圧、及び、各表示画素Ｐｘに共通に設けられた共通電極に印加されるコモン信号電圧の電圧極性を、各走査ラインごと、及び、各フィールドごとに相互に反転極性となるように設定することにより、ライン反転及びフィールド反転駆動が行われ、映像信号ＶＩＤＥＯに基づく所望の画像情報が液晶表示パネル１１０Ｐに表示される。
【００１３】
ところで、上述したように、図８に示したような機能を有するＬＣＤコントローラ１４０Ｐにおいては、映像信号ＶＩＤＥＯのフィールド判別を行い、該フィールド判別情報に基づいて、垂直同期信号ＶＤのカウント値であるラインカウント信号ＨＣＮＴに対して、信号極性がフィールドごとに非反転関係又は反転関係を有する極性反転信号ＦＲＰを生成するように構成されているため、当該ラインカウント信号ＨＣＮＴと極性反転信号ＦＲＰは、相互に信号タイミングが対応関係を有する（すなわち、相互に信号極性が非反転関係（ＦＲＰ＝ＨＣＮＴ）又は反転関係（ＦＲＰ＝ＨＣＮＴ＊；ＨＣＮＴの反転信号を便宜的に「＊」を付して示す）のいずれかを有する）という特徴を有している。
【００１４】
したがって、上述した従来技術における液晶表示装置の駆動制御方法（表示駆動方法）においては、映像信号ＶＩＤＥＯのフィールド判別情報に基づいて、極性反転信号ＦＲＰの信号極性を設定する手法を適用しているので、例えば、ＬＣＤコントローラ１４０Ｐ（あるいは、液晶表示装置１００Ｐ）に供給される同期信号が不安定で、１フィールドの長さが変わってしまったような場合であっても、フィールド反転動作が良好に維持されるという利点を有している。このような同期信号が不安定な状態の例としては、例えば、テレビ表示において電波状態が変動した場合や、ビデオ表示において特殊再生動作を行った場合等が相当する。
なお、上述したような液晶表示装置の概略構成や、ＬＣＤコントローラにおける各種制御信号の生成機能については、例えば、特許文献１等に記載されている。
【００１５】
【特許文献１】特開平８−３２２０２４号公報  （第７頁、図１、図６）
【発明の開示】
【発明が解決しようとする課題】
【００１６】
しかしながら、上述したような液晶表示装置においては、図６に示すように、ラインカウント信号ＨＣＮＴの信号極性は、１水平期間ごとに反転するように制御され、奇数番目の水平走査期間にはハイレベル、偶数番目の水平走査期間にはローレベルに設定される信号であり、かつ、垂直制御信号（ゲートスタート信号ＧＳＲＴ）によって、液晶表示パネル１１０Ｐに配列された表示画素Ｐｘ（すなわち、走査ラインＳＬ）の１行目が選択状態に設定されたとき（選択タイミング）に、初期値にセット（ハイレベルにリセット）されるため、１行目が選択状態に設定されるタイミングが偶数番目の水平走査期間になる場合に、上記１行目において、連続する水平期間にわたって、同極性となる期間が存在する（同極性期間が２ライン分連続する；図６中、Ｂ部参照）状態が生じる。インターレース方式においては、上記のように、偶数番目の走査線データからなる第１フィールドと、奇数番目の走査線データからなる第２フィールドの２つのフィールドがあり、互いに１行目となるタイミングが１水平走査期間だけ異なっているため、少なくとも何れかのフィールドで、上記のように同極性期間が２ライン分連続する状態が生じる。
【００１７】
ここで、上述したように、極性反転信号ＦＲＰは、ラインカウント信号ＨＣＮＴの信号極性の変化タイミングに同期する（ラインカウント信号ＨＣＮＴの信号タイミングに対応する）信号であるため、該ラインカウント信号ＨＣＮＴが２ライン分連続して同極性となることにより、極性反転信号ＦＲＰも同極性期間が発生することになり、極性反転動作のバランスが崩れて、表示画素に充填された液晶分子に対して印加される直流成分のずれ（偏り）が生じ、フリッカの発生による表示画質の劣化や、直流電圧成分の印加に起因する液晶の焼き付きにより製品寿命の劣化を招くという問題を有していた。
【００１８】
そこで、本発明は、上述した課題に鑑み、インターレース駆動方式により所望の画像情報を表示する液晶表示装置に適用される表示駆動装置において、連続する動作期間（水平期間）にわたり、制御信号の信号極性が同一となる状態の発生を防止して、フリッカの発生による表示画質の劣化や液晶の焼き付きによる製品寿命の劣化を抑制することができる表示駆動装置及びその駆動制御方法を提供することを目的とする。
【課題を解決するための手段】
【００１９】
請求項１記載の発明は、複数の走査ラインと複数のデータラインが相互に直交するように配設され、前記複数の走査ラインと前記複数のデータラインの各交点近傍に、複数の表示画素が配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置において、前記駆動制御手段は、前記表示パネル一画面分の前記画像情報を表示する１フレーム期間を規定する垂直同期信号を生成する手段と、該垂直同期信号にのみ基づいて、前記表示画素に印加される電圧極性を制御する第１の極性反転信号を生成する手段と、を有することを特徴とする。
【００２０】
請求項２記載の発明は、請求項１記載の表示駆動装置において、前記駆動制御手段は、前記１フレーム期間に１回のみ、前記第１の極性反転信号の信号極性を反転制御する手段を有することを特徴とする。
請求項３記載の発明は、請求項２記載の表示駆動装置において、前記表示パネルは、前記表示データは前記１フレーム期間を構成する第１のフィールド期間及び第２のフィールド期間を有し、前記駆動制御手段は、前記第１のフィールド及び第２のフィールドの各々に対して、前記走査ラインごと、かつ、前記第１及び第２のフィールドごとに、前記表示画素に印加される電圧極性が反転するように、前記第１の極性反転信号を制御する手段を有することを特徴とする。
【００２１】
請求項４記載の発明は、請求項２記載の表示駆動装置において、前記表示駆動装置は、所定の映像信号に含まれるタイミング信号を抽出して前記駆動制御手段に供給するとともに、前記映像信号に含まれる輝度信号成分を抽出して前記信号駆動手段に前記表示データとして供給する信号生成手段を備え、前記駆動制御手段は、前記信号生成手段から定常的に供給されるタイミング信号に基づいて、前記垂直同期信号を生成する手段を有することを特徴とする。
【００２２】
請求項５記載の発明は、請求項３記載の表示駆動装置において、前記駆動制御手段は、前記第１又は第２のフィールドを判別してフィールド判別情報を生成する手段と、前記各走査ラインを選択する水平走査期間ごとに反転するラインカウント信号を生成する手段と、前記ラインカウント信号に同期する第２の極性反転信号を生成する手段と、前記フィールド判別情報に基づいて、前記ラインカウント信号と前記第２の極性反転信号の極性反転又は極性非反転の関係を制御する手段と、前記第１又は前記第２の極性反転信号のいずれかを一方を選択的に出力する手段と、を有することを特徴とする。
【００２３】
請求項６記載の発明は、複数の走査ラインと複数のデータラインが相互に直交するように配設され、前記複数の走査ラインと前記複数のデータラインの各交点近傍に、複数の表示画素が配列された表示パネルに対して、走査信号を印加して前記表示画素を選択状態に設定する走査駆動手段と、前記選択状態に設定された前記表示画素に、表示データに基づく表示信号電圧を印加する信号駆動手段と、少なくとも前記走査駆動手段及び前記信号駆動手段の動作状態を制御することにより、前記表示パネルにおける画像情報の表示動作を制御する駆動制御手段と、を備えた表示駆動装置の駆動制御方法において、前記表示パネル一画面分の前記画像情報を表示する１フレーム期間を規定する垂直同期信号を生成するステップと、前記垂直同期信号に基づいて、前記１フレーム期間に１回のみ、前記表示画素に印加される電圧極性を制御する第１の極性反転信号を反転制御するステップと、を含むことを特徴とする。
【００２４】
請求項７記載の発明は、請求項６記載の表示駆動装置の駆動制御方法において、前記表示データは前記１フレーム期間を構成する第１のフィールド期間及び第２のフィールド期間を有し、前記走査ラインごと、かつ、前記第１及び第２のフィールドごとに、前記表示画素に印加される電圧極性が反転するように、前記第１の極性反転信号を制御するステップを含むことを特徴とする。
【００２５】
請求項８記載の発明は、請求項７記載の表示駆動装置の駆動制御方法において、前記第１又は第２のフィールドを判別してフィールド判別情報を生成するステップと、前記各走査ラインを選択する水平走査期間ごとに反転するラインカウント信号を生成し、該ラインカウント信号に同期する第２の極性反転信号を生成するステップと、前記フィールド判別情報に基づいて、前記ラインカウント信号と前記第２の極性反転信号の極性反転又は極性非反転の関係を制御するステップと、前記第１又は前記第２の極性反転信号のいずれかを一方を選択的に出力するステップと、を含むことを特徴とする。
【発明の効果】
【００２６】
本発明に係る表示駆動装置及びその駆動制御方法は、液晶表示パネルのように、複数の表示画素が２次元配列されてなる表示パネルに対して、走査信号を印加して各表示画素を選択状態に設定し、該選択状態に設定された表示画素に、表示データに基づく表示信号電圧を印加することにより、表示パネルに所望の画像情報を表示する制御を実行する表示駆動装置において、表示パネルに一画面分の上記画像情報を表示する１フレーム期間を、奇数番目の走査線に対応した画像データと、偶数番目の走査線に対応した画像データからなる２つのフィールド期間（第１フィールド期間と第２フィールド期間）に２分割し、各フィールド期間においてライン反転駆動を行いつつ、各フィールドごとに反転駆動を行うことにより、上記所望の画像情報を表示するインターレース駆動方式であって、駆動制御手段（ＬＣＤコントローラ）は、上記１フレーム期間を規定する垂直同期信号を生成し、該垂直同期信号にのみ基づいて、表示画素に印加される電圧極性（表示信号電圧とコモン信号電圧との極性関係）を制御する極性反転信号（第１の極性反転信号）を生成し、上記表示データを生成する信号生成手段（表示信号生成回路）及びコモン電圧駆動アンプに供給するように構成されている。
【００２７】
すなわち、本発明に係る表示駆動装置（駆動制御手段）においては、極性反転信号の生成に関し、フィールド判別処理を行わず、かつ、極性反転信号が、フィールド判別結果（フィールド判別情報）に基づいて信号極性が制御されるラインカウント信号に対して反転又は非反転関係となる対応関係を有していないため、極性反転信号が垂直同期信号にのみ依存する。これにより、極性反転信号は１フレーム期間に１回のみ、信号極性が反転するように制御される。
【００２８】
したがって、ラインカウント信号が、連続する水平期間において同極性となる状態が生じた場合であっても、極性反転信号はその影響を受けることなく、１フレーム期間（２フィールド期間）に１回だけリセットされることになり、１水平期間ごとに信号極性が反転する動作が常に保持されるので、液晶表示画素に充填された液晶分子に印加される直流成分の偏り（ずれ）を防止して、フリッカの発生や液晶の劣化を抑制することができ、表示画質や製品寿命の向上を図ることができる。ここで、本発明に係る表示駆動装置及びその駆動制御方法は、例えば、デジタルスチルカメラやメモリビューワ等のように、同期信号が外乱要因による変動を受けにくい表示装置に良好に適用することができる。
【００２９】
また、本発明に係る表示駆動装置は、上述したような垂直同期信号にのみ基づいて極性反転信号（第１の極性反転信号）を生成する構成に加えて、フィールド判別処理を実行し、かつ、フィールド判別結果（フィールド判別情報）に基づいて信号極性が制御されるラインカウント信号に対して反転又は非反転関係となる対応関係を有する極性反転信号（第２の極性反転信号）を生成する構成をも備え、さらに、本発明に係る表示駆動装置が適用される表示装置の駆動方式や仕様等に応じて、これらの極性反転信号の生成手段（すなわち、これらの手段により生成される第１又は第２の極性反転信号）のうち、いずれか一方を選択設定するようにしたものであってもよい。
【００３０】
これにより、テレビ信号やビデオ信号のように、同期信号が不安定で、１フィールドの長さが変動するような使用状況（駆動方法）においては、フィールド判別処理を行い、その判別情報に基づいてフィールドごとにラインカウント信号の信号極性を反転、非反転動作させたものを極性反転信号として出力することにより、ライン反転かつフィールド反転駆動を良好に保持することができ、一方、上述したようなデジタルスチルカメラやメモリビューワのような外乱を受けにくく、安定した同期制御が行われる使用状況（駆動方法）においては、ラインカウント信号に依存することなく、垂直同期信号にのみ基づいて、極性反転信号を生成することにより、ラインカウント信号において特定の信号極性が連続した場合であっても、ライン反転かつフィールド反転駆動を良好に保持することができる。
したがって、本発明に係る表示駆動装置が適用される電子機器の駆動方式や仕様等にかかわらず、フリッカの発生や液晶の劣化を抑制することができ、表示画質や製品寿命を向上した表示装置を実現することができる。
【発明を実施するための最良の形態】
【００３１】
以下、本発明に係る表示駆動装置及びその駆動制御方法について、図面を参照しながら説明する。
＜液晶表示装置＞
図１は、本発明に係る表示駆動装置を適用した液晶表示装置の一実施形態を示す概略ブロック図であり、図２は、本実施形態に係る液晶表示装置に適用されるＬＣＤコントローラの制御信号生成動作の概念を示す機能ブロックである。ここで、上述した従来技術（図５）と同等の構成については、同等又は同一の符号を付して説明を簡略化する。
【００３２】
図１に示すように、本実施形態に係る液晶表示装置１００は、概略、図５に示した構成と同様に、複数の走査ラインＳＬ及び複数のデータラインＤＬの交点近傍に複数の表示画素Ｐｘが２次元配列（例えば、ｎ行×ｍ列に配列）された液晶表示パネル（表示パネル）１１０と、各走査ラインＳＬに所定のタイミングで走査信号を順次印加して、各行の表示画素Ｐｘ群を順次選択状態に設定するゲートドライバ（走査駆動手段）１２０と、選択状態に設定された行の表示画素Ｐｘ群に、表示データに基づく表示信号電圧を一括して出力するソースドライバ（信号駆動手段）１３０と、少なくとも、ゲートドライバ１２０及びソースドライバ１３０並びに後述するコモン電圧駆動アンプ１６０における動作タイミングを制御するための制御信号（水平制御信号、垂直制御信号、極性反転信号等）を生成して出力するＬＣＤコントローラ（制御信号生成手段）１４０と、液晶表示装置１００の外部から入力される映像信号から複合同期信号ＣＳＹＮＣを抽出してＬＣＤコントローラ１４０に出力するとともに、映像信号に含まれる輝度信号成分からなる表示データを抽出してソースドライバ１３０に出力する表示信号生成回路（ビデオインターフェース回路）１５０と、上記複合同期信号ＣＳＹＮＣに基づいてＬＣＤコントローラ１４０により生成される極性反転信号ＦＲＰに基づいて、液晶表示パネル１１０の各表示画素Ｐｘに共通に設けられた共通電極（対向電極）に対して、所定の電圧極性を有するコモン信号電圧Ｖcomを印加するコモン電圧駆動アンプ（駆動アンプ）１６０と、を有して構成されている。
【００３３】
（液晶表示パネル）
液晶表示パネル１１０は、対向する透明基板間に、図１（又は、図５）に示すように、行列方向に互いに直交するように配設された複数の走査ラインＳＬ及び複数のデータラインＤＬと、該走査ラインＳＬ及びデータラインＤＬの各交点近傍に配置された複数の表示画素（液晶表示画素）Ｐｘと、を備えて構成されている。各表示画素Ｐｘは、図１に示すように、画素電極とデータラインＤＬ間にソース−ドレイン（電流路）が接続され、走査ラインＳＬにゲート（制御端子）が接続された薄膜トランジスタからなる画素トランジスタＴＦＴと、上記画素電極に対向するとともに、全表示画素Ｐｘに共通に設けられた上記共通電極との間に充填、保持された液晶分子からなる画素容量（液晶容量）Ｃlcと、画素容量Ｃlcに並列に構成され、該画素容量Ｃlcに印加された信号電圧を保持するための補助容量（蓄積容量）Ｃcsと、を備えた構成を有している。ここで、本実施形態においては、液晶表示パネル１１０の走査ラインＳＬが１フィールドの走査線数と同等の２４０本程度を有し、各フィールドにおいて各走査ラインＳＬが順次走査されるように構成されるものとする。
【００３４】
（ゲートドライバ）
ゲートドライバ１２０は、ＬＣＤコントローラ１４０から供給される垂直制御信号（後述するゲートスタート信号ＧＳＲＴ、ゲートクロック信号ＧＰＣＫ、ゲートリセット信号ＧＲＥＳ等）に基づいて、各走査ラインＳＬに走査信号Ｇ１、Ｇ２、Ｇ３、・・・を印加することにより、各行の表示画素Ｐｘ群を選択的に選択状態とし、上記データラインＤＬとの交点近傍に配置された画素トランジスタＴＦＴをオン状態として、上記ソースドライバ１３０によりデータラインＤＬを介して供給された表示信号電圧Ｓ１、Ｓ２、Ｓ３、・・・を各表示画素Ｐｘに書き込む（詳しくは、各表示画素Ｐｘの画素容量Ｃlc及び補助容量Ｃcsを充電する）。
【００３５】
（ソースドライバ）
ソースドライバ１３０は、ＬＣＤコントローラ１４０から供給される水平制御信号（出力イネーブル信号、データラインクリア信号、サンプリングスタート信号、シフトクロック等）に基づいて、表示信号生成回路１５０から供給される表示データに基づく表示信号電圧Ｓ１、Ｓ２、Ｓ３、・・・を生成して、各信号ラインＤＬを介して各表示画素Ｐｘに供給する。
【００３６】
（ＬＣＤコントローラ）
ＬＣＤコントローラ１４０は、後述する表示信号生成回路１５０から供給される複合同期信号ＣＳＹＮＣに基づいて、垂直制御信号（ゲートスタート信号ＧＳＲＴ、ゲートクロック信号ＧＰＣＫ等）を生成して、ゲートドライバ１２０に供給するとともに、水平制御信号（出力イネーブル信号、データラインクリア信号、サンプリングスタート信号、シフトクロック等）を生成して、ソースドライバ１３０に供給することにより、ゲートドライバ１２０及びソースドライバ１３０の動作状態を制御して、液晶表示パネル１００に映像信号に基づく所望の画像情報を表示する制御を行う。
【００３７】
また、上記複合同期信号ＣＳＹＮＣに基づいて、１水平期間ごとに信号極性が反転する極性反転信号ＦＲＰを生成して、コモン電圧駆動アンプ１６０及び表示信号生成回路１５０に供給することにより、各表示画素Ｐｘに印加される表示信号電圧及びコモン電圧の極性が相互に反転関係を保持しつつ、所定の周期（１水平期間）ごとに反転するように制御する。
【００３８】
ここで、本実施形態に係るＬＣＤコントローラ１４０は、より具体的には、少なくとも、図２に示すように、表示信号生成回路１５０から供給される複合同期信号ＣＳＹＮＣから、垂直同期成分を分離する機能ブロック（垂直同期分離ブロック）１０と、該垂直同期成分とＬＣＤコントローラ１４０内部において生成される内部垂直同期信号との同期状態を判定し、垂直同期信号ＶＤを生成して出力する機能ブロック（垂直同期判定・垂直同期信号生成ブロック）２０と、該垂直同期信号ＶＤに基づいて、少なくともゲートスタート信号ＧＳＲＴ等の垂直制御信号及びラインカウント信号ＨＣＮＴを生成して出力する機能ブロック（垂直系表示制御ブロック）３０と、該垂直系表示制御ブロック３０と並列的に設けられ、上記垂直同期信号ＶＤに基づいて、所定の周期で信号極性が反転する極性反転信号ＦＲＰを生成して出力する機能ブロック（ＦＲＰ生成ブロック）４０と、を備えている。
すなわち、本実施形態に係るＬＣＤコントローラ１４０においては、極性反転信号ＦＲＰの生成に関し、従来技術（図８参照）に示したようなフィールド判別処理を行わないため、極性反転信号ＦＲＰがフィールド判別情報ＦＬＤ及びラインカウント信号ＨＣＮＴに依存することなく、垂直同期信号ＶＤにのみ依存する。
【００３９】
（表示信号生成回路）
表示信号生成回路１５０は、液晶表示装置１００の外部から入力された映像信号ＶＩＤＥＯから複合同期信号ＣＳＹＮＣを分離して、上記ＬＣＤコントローラ１４０等に供給するとともに、映像信号ＶＩＤＥＯに含まれる輝度信号成分を抽出して、上記ＬＣＤパネルこんと１４０から供給される極性反転信号ＦＲＰに基づく信号極性を有する、アナログ信号からなる表示データを生成し、ソースドライバ１３０に供給する。
【００４０】
＜液晶表示装置の駆動制御方法＞
次に、本実施形態に係る液晶表示装置における駆動制御方法（表示駆動動作）について説明する。
図３及び図４は、本実施形態に係る液晶表示装置の、インターレース駆動方式による表示動作の一例を示すタイミングチャートである。ここで、上述した従来技術（図６、図７）と同等の動作については、その説明を簡略化する。
【００４１】
上述したように、本実施形態に係る液晶表示装置（ＬＣＤコントローラ）においては、各表示画素に印加される表示信号電圧とコモン信号電圧の極性関係を制御する極性反転信号ＦＲＰが垂直同期信号ＶＤにのみ基づいて生成されるので、図３及び図４のタイミングチャートに示すように、１フレーム期間（すなわち、インターレース駆動方式においては、２フィールド期間）に１回だけ、リセットレベル（ローレベル）に設定されるリセット動作が実行される。
【００４２】
すなわち、本実施形態に係るＬＣＤコントローラが適用された液晶表示装置１００における画像表示動作は、概略、映像信号ＶＩＤＥＯに基づく１画面分の画像情報を表示する期間（１フレーム期間）に、２つのフィールド期間（第１フィールドＦＩＥＬＤ１と第２フィールドＦＩＥＬＤ２）を設定し、各フィールド期間において、図３又は図４に示すように、順次走査ラインを選択状態に設定して所定の表示信号電圧を書き込む動作を、２つのフィールドで順次交互に実行する。
【００４３】
まず、表示信号生成回路１５０により、液晶表示装置１００の外部から供給される映像信号ＶＩＤＥＯから各種タイミング信号（複合同期信号ＣＳＹＮＣを含む）が抽出されてＬＣＤコントローラ１４０に供給される。これにより、ＬＣＤコントローラ１４０は、上記各種タイミング信号に基づいて、少なくとも、垂直制御信号、水平制御信号及び極性反転信号ＦＲＰを生成して、各々、ゲートドライバ１２０、ソースドライバ１３０、コモン電圧駆動アンプ１６０及び表示信号生成回路１５０に供給される。
【００４４】
また、表示信号生成回路１５０は、上記映像信号ＶＩＤＥＯから液晶表示パネル１１０の１行分の表示画素Ｐｘに対応した輝度信号を抽出し、所定の信号極性を有するアナログ信号からなる表示データを生成してソースドライバ１３０に供給する。これにより、ソースドライバ１３０は、ＬＣＤコントローラ１４０から供給される水平制御信号に基づいて、上記表示データを順次取り込み保持する。このとき、表示データに設定される信号極性（すなわち、各表示画素Ｐｘの画素電極に印加される表示信号電圧の信号極性）と、コモン電圧駆動アンプ１６０により各表示画素Ｐｘの共通電極に印加されるコモン電圧Ｖcomの信号極性とは、相互に反転関係を有するように制御されている。
【００４５】
そして、図３に示すように、第１フィールド期間ＦＩＥＬＤ１において、ゲートドライバ１２０により、垂直制御信号（ゲートスタート信号ＧＳＲＴ、ゲートクロック信号ＧＰＣＫ、ゲートリセット信号ＧＲＥＳ等）に基づいて、１水平期間（１Ｈ）ごとに液晶表示パネル１１０に配設された各走査ラインＳＬに走査信号Ｇ１、Ｇ２、Ｇ３・・・、Ｇn-1、Ｇｎが順次印加され、各行の表示画素Ｐｘ群が選択状態に設定され、ソースドライバ１３０により、水平制御信号（データラインクリア信号、データ出力イネーブル信号等）に基づいて、選択状態に設定された各行の表示画素Ｐｘ群に、上記保持した表示データに基づいて生成された表示信号電圧を、各データラインＤＬを介して一斉に供給する。
【００４６】
このような一連の動作を、極性反転信号ＦＲＰに基づいて１水平期間（１Ｈ）ごとに表示信号電圧とコモン信号電圧Ｖcomとの信号極性の関係を反転させながら、第１フィールドＦＩＥＬＤ１の各行について順次繰り返し実行した後、図４に示すように、第２フィールドＦＩＥＬＤ２の各行についても順次同様に実行することにより、液晶表示パネル１１０の１画面分（１フレーム）の各表示画素Ｐｘに対して、ライン反転かつフィールド反転駆動が行われて、上記表示データ（表示信号電圧）が書き込まれ、映像信号ＶＩＤＥＯに基づく所望の画像情報が液晶表示パネル１１０に表示される。
【００４７】
ここで、ＬＣＤコントローラ１４０において、極性反転信号ＦＲＰは、図２に示したように、垂直同期判定・垂直同期信号生成ブロックにより生成される垂直同期信号ＶＤにのみ依存し、垂直系表示制御ブロックにより生成されるラインカウント信号ＨＣＮＴとは対応関係を有しないように設定されているので、図４に示すように、１行目が選択状態に設定されるタイミングによって、連続する水平期間（図中、Ａ部参照）においてラインカウント信号ＨＣＮＴに同極性となる状態が生じた場合であっても、極性反転信号ＦＲＰはその影響を受けることなく、１フレーム期間（２フィールド期間）に１回だけ、初期値にセット（リセット）されることになり、１水平期間ごとに信号極性が反転する動作が常に保持されることになる。
【００４８】
したがって、液晶表示画素に充填された液晶分子に印加される直流成分の偏り（ずれ）を抑制することができるので、フリッカの発生や液晶の劣化を抑制することができ、表示画質や製品寿命の向上を図ることができる。なお、本実施形態に係る液晶表示装置（表示駆動装置及びその駆動制御方法）は、外乱要因により同期信号の変動を受けにくい表示装置、例えば、デジタルスチルカメラやメモリビューワ等に良好に適用することができる。
【００４９】
なお、上述した実施形態に示した液晶表示装置においては、ＬＣＤコントローラ１４０として、図２に示したように、垂直同期信号ＶＤにのみ基づいて極性反転信号ＦＲＰを生成する機能ブロックを備えた構成を示したが、本発明はこれに限定されるものではなく、図２に示した機能ブロック群に加え、従来技術（図８参照）に示したような示した機能ブロック各種制御信号の生成に際し、上述した従来技術に示したようなフィールド判別情報ＦＬＤ及びラインカウント信号ＨＣＮＴに基づいて、極性反転信号ＦＲＰを生成する構成ブロック群を備えた構成を有し、極性反転信号ＦＲＰの生成に関し、これらのうち、いずれか一方を選択設定するようにしたものであってもよい。
【００５０】
このような構成を有するＬＣＤコントローラによれば、テレビ信号やビデオ信号のように、同期信号が不安定で、１フィールドの長さが変動するような使用状況（駆動方法）においては、フィールド判別処理を行い、その判別情報に基づいてフィールドごとにラインカウント信号ＨＣＮＴの信号極性を反転、非反転動作させたものを極性反転信号ＦＲＰとして出力することにより、ライン反転かつフィールド反転駆動を良好に保持することができ、一方、デジタルスチルカメラやメモリビューワのような外乱を受けにくく、安定した同期制御が行われる使用状況（駆動方法）においては、ラインカウント信号ＨＣＮＴに依存することなく、垂直同期信号ＶＤにのみ基づいて、極性反転信号ＦＲＰを生成することにより、ラインカウント信号ＨＣＮＴにおいて特定の信号極性が連続した場合であっても、ライン反転かつフィールド反転駆動を良好に保持することができる。
したがって、本実施形態に係る液晶表示装置（ＬＣＤコントローラを含む周辺回路）を適用する、上記のような電子機器の駆動方式や仕様等に応じて、適宜駆動制御方法を選択的に切り換えることにより、いずれの駆動方式においても、フリッカの発生や液晶の劣化を抑制することができ、表示画質や製品寿命の向上を図ることができる。
【図面の簡単な説明】
【００５１】
【図１】本発明に係る表示駆動装置を適用した液晶表示装置の一実施形態を示す概略ブロック図である。
【図２】本実施形態に係る液晶表示装置に適用されるＬＣＤコントローラの制御信号生成動作の概念を示す機能ブロックである。
【図３】本実施形態に係る液晶表示装置の、インターレース駆動方式による表示動作（第１フィールド）の一例を示すタイミングチャートである。
【図４】本実施形態に係る液晶表示装置の、インターレース駆動方式による表示動作（第２フィールド）の一例を示すタイミングチャートである。
【図５】従来技術における薄膜トランジスタ（ＴＦＴ）型の表示パネルを備えた液晶表示装置の要部構成を示すブロック図である。
【図６】従来技術における液晶表示装置の、インターレース駆動方式による表示動作（第１フィールド）の一例を示すタイミングチャートである。
【図７】従来技術における液晶表示装置の、インターレース駆動方式による表示動作（第２フィールド）の一例を示すタイミングチャートである。
【図８】従来技術における液晶表示装置に適用されるＬＣＤコントローラの制御信号生成動作の概念を示す機能ブロックである。
【符号の説明】
【００５２】
１０        垂直同期分離ブロック
２０        垂直同期判定・垂直同期信号生成ブロック
３０        垂直系表示制御ブロック
４０        ＦＲＰ生成ブロック
１００      液晶表示装置
１１０      液晶表示パネル
１２０      ゲートドライバ
１３０      ソースドライバ
１４０      ＬＣＤコントローラ
１５０      表示信号生成回路
【図１】
2005070706.tif 000003
【図２】
2005070706.tif 000004
【図３】
2005070706.tif 000005
【図４】
2005070706.tif 000006
【図５】
2005070706.tif 000007
【図６】
2005070706.tif 000008
【図７】
2005070706.tif 000009
【図８】
2005070706.tif 000010